(57)【特許請求の範囲】
【請求項１】
情報を表示するディスプレーモジュールと、
前記ディスプレーモジュールを支持する支持部、該支持部に接続される側部、前記支持部の上面と該側部が合って形成される角に形成された少なくも１つの結合溝、及び該結合溝の基底面に形成された第１ユーザーホールを含む支持枠と、
前記ディスプレーモジュールの表示画面の縁をカバーし、前記第１ユーザーホールを露出させる第１開口部が形成された上面部及び該上面部から前記側部と対向するように延長された側面部を含む前面（ｆｒｏｎｔ）収納枠と、
前記ディスプレーモジュールの後面（ｒｅａｒ  ｆａｃｅ）を支持し、前記第１ユーザーホールに対応する第２ユーザーホールが形成された底部、前記側部と前記側面部との間に配置された側壁部、湾入部を形成して前記第２ユーザーホールを露出させる切開部、及び前記第２ユーザーホールの周辺部に沿って折り曲げられて前記側壁部のエッジを互いに接続させた第１強度補強部材を含む後面収納枠と、を備えることを特徴とするディスプレーアセンブリー。
【請求項２】
前記第１強度補強部材は、前記側壁部の前記エッジから延長され、前記結合溝に収容されて前記支持枠と前記後面収納枠を固定させることを特徴とする請求項１記載のディスプレーアセンブリー。
【請求項３】
前記第１開口部は前記側面部を開口させ、前記前面収納枠は前記側面部の互いに対向するエッジを互いに接続させた第２強度補強部材を更に含むことを特徴とする請求項２記載のディスプレーアセンブリー。
【請求項４】
前記第２強度補強部材は前記第１ユーザーホールを避けるように折り曲げられて前記結合溝に収容されることを特徴とする請求項３記載のディスプレーアセンブリー。
【請求項５】
前記第２強度補強部材は前記側面部の下端から離隔されることを特徴とする請求項４記載のディスプレーアセンブリー。
【請求項６】
前記第２強度補強部材は前記第１ユーザーホールを基準に前記第１強度補強部材と反対側に配置されることを特徴とする請求項３記載のディスプレーアセンブリー。
【請求項７】
前記第１開口部は前記側面部を開口させ、前記第１強度補強部材は前記側壁部の前記エッジから前記側面部に向かって突出して前記第１開口部に挿入されることを特徴とする請求項１記載のディスプレーアセンブリー。
【請求項８】
前記前面収納枠は前記側面部の互いに対向するエッジを互いに接続させた第２強度補強部材を更に含むことを特徴とする請求項７記載のディスプレーアセンブリー。
【請求項９】
前記第１強度補強部材は前記第２強度補強部材の上側エッジに架かることを特徴とする請求項８記載のディスプレーアセンブリー。
【請求項１０】
前記第２強度補強部材は前記第１強度補強部材の外側面に重なることを特徴とする請求項８記載のディスプレーアセンブリー。
【請求項１１】
前記第２強度補強部材は前記第１ユーザーホールを基準に前記第１強度補強部材の上側及び反対側に配置されて前記結合溝に収容されることを特徴とする請求項８記載のディスプレーアセンブリー。
【請求項１２】
前記支持枠は互いに異なる前記側部が互いに合って形成される該支持枠のコーナー部に対応して前記支持部に形成された第３ユーザーホールを更に含むことを特徴とする請求項１記載のディスプレーアセンブリー。
【請求項１３】
前記前面収納枠は前記支持枠のコーナー部に対応する該前面収納枠の前面コーナー部に形成されて前記第３ユーザーホールを露出させる第２開口部を更に含み、
前記後面収納枠は前記支持枠のコーナー部に対応する該後面収納枠の後面コーナー部に形成されて前記第３ユーザーホールを露出させる第３開口部を更に含むことを特徴とする請求項１２記載のディスプレーアセンブリー。
【請求項１４】
前記ディスプレーモジュールは、
前記後面収納枠に収納されて光を出射するバックライトパーツと、
前記前面収納枠に収納され且つ前記支持部の上面によって支持され、前記光を基に情報を表示する表示パネルユニットと、を含み、
前記バックライトパーツは、
前記側壁部と実質的に直交する方向で前記底部に配置される複数のランプユニットと、
前記支持部と前記底部との間に配置され、前記ランプユニットの端部を収容する複数のガイド溝が形成されたサイドフレームと、
前記サイドフレームの上面と前記支持部の下面との間に介在する光学部材と、を含むことを特徴とする請求項１記載のディスプレーアセンブリー。
【請求項１５】
前記ディスプレーモジュールは、
前記後面収納枠に収納されて光を出射するバックライトパーツと、
前記前面収納枠に収納され且つ前記支持部の上面によって支持され、前記光を基に情報を表示する表示パネルユニットと、を含み、
前記結合溝と対向する前記側部の内側面には複数のガイド溝が更に形成され、
前記バックライトパーツは、端部が前記ガイド溝に各々収容される複数のランプユニットと、前記支持部の上面と前記表示パネルユニットの下面との間に介在する光学部材とを含むことを特徴とする請求項１記載のディスプレーアセンブリー。
【請求項１６】
情報を表示するディスプレーモジュールと、
前記ディスプレーモジュールを支持する支持部、該支持部のエッジから延長された側部、前記支持部の上面と該側部が合って形成される角に形成された少なくとも１つの結合溝、及び該結合溝の基底面に形成された第１ユーザーホールを含む支持枠と、
前記ディスプレーモジュールの表示画面の縁を支持する上面部、該上面部から前記側部と対向するように延長された側面部、前記上面部と該側面部が合って形成される角に形成されて前記第１ユーザーホールを露出させる第１開口部を含む前面（ｆｒｏｎｔ）収納枠と、
前記ディスプレーモジュールの後面（ｒｅａｒ  ｆａｃｅ）を支持し、前記第１ユーザーホールに対応する第２ユーザーホールが形成された底部、前記側部と前記側面部との間に配置された側壁部、前記第２ユーザーホールと交差する前記側壁部を上端から開口させて該第２ユーザーホールを露出させるように形成された切開部、及び該第２ユーザーホールを避けるように折り曲げられて前記切開部によって形成された前記側壁部の互いに対向するエッジを互いに接続させた第１強度補強部材を含む後面収納枠と、
前記表示画面が露出されて前記前面収納枠を収納するフロント（ｆｒｏｎｔ）カバーと、
前記フロントカバーと対向して結合され前記後面収納枠を収納するリヤ（ｒｅａｒ）カバーと、
前記第１ユーザーホール及び前記第２ユーザーホールを貫通して前記フロントカバー及び前記リヤカバーに各々締結される締結部材と、を備えることを特徴とする表示装置。
【請求項１７】
前記フロントカバーは前記前面収納枠を収納するフロントボディー及び該フロントボディーから延長されて前記第１開口部を貫通して前記基底面に配置された結合部を含み、前記締結部材は前記リヤカバー、前記第２ユーザーホール、及び前記第１ユーザーホールを貫通して前記結合部に挿入されることを特徴とする請求項１６記載の表示装置。
【請求項１８】
前記前面収納枠は前記第１開口部によって下端まで開口された前記側面部の互いに対向するエッジを接続させた第２強度補強部材を更に含むことを特徴とする請求項１６記載の表示装置。
【請求項１９】
前記第１強度補強部材及び前記第２強度補強部材は前記第１ユーザーホールを避けるように折り曲げられて前記結合溝に各々収容されることを特徴とする請求項１８記載の表示装置。
【請求項２０】
前記第１強度補強部材及び前記第２強度補強部材は前記第１ユーザーホールを基準に前記結合溝の側面の反対側に配置されることを特徴とする請求項１８記載の表示装置。
【請求項２１】
前記第１強度補強部材は前記第２強度補強部材の上側エッジに架かることを特徴とする請求項２０記載の表示装置。
【請求項２２】
前記第２強度補強部材は前記第１強度補強部材の外側面に重なることを特徴とする請求項２０記載の表示装置。
【請求項２３】
前記第１強度補強部材及び前記第２強度補強部材のうちの１つは前記第１ユーザーホールを避けるように前記結合溝に収容され、残りの１つは前記結合溝に向かう方向の反対方向に突出することを特徴とする請求項１８記載の表示装置。
【請求項２４】
情報を表示するディスプレーモジュールと、
前記ディスプレーモジュールを支持し、前記ディスプレーモジュールを取り囲む縁に形成された少なくとも１つの結合溝及び該結合溝の基底面に形成された第１ユーザーホールを有する支持枠と、
前記ディスプレーモジュールの表示画面の縁を支持し、第１ユーザーホールを露出させる第１開口部を有する前面収納枠と、
前記ディスプレーモジュールの後面を支持し、前記支持枠の第１ユーザーホールに対応する第２ユーザーホール、該第２ユーザーホールを露出させる切開部、及び前記少なくとも１つの結合溝周囲の支持枠を支える少なくとも１つの補強部材とを含む後面収納枠とを備えることを特徴とするディスプレーアセンブリー。
【請求項２５】
前記支持枠はディスプレーモジュールを支持する支持部と該支持部に接続された側部とを含むことを特徴とする請求項２４記載のディスプレーアセンブリー。
【請求項２６】
前記少なくとも１つ以上の結合溝は前記支持部の上面と前記側部が合って形成される角に形成されることを特徴とする請求項２５記載のディスプレーアセンブリー。
【請求項２７】
前記前面収納枠は前記ディスプレーモジュールの表示画面の縁を支持する上面部及び該上面部から延長された側面部を含み、前記側面部は前記支持枠の側部と対向することを特徴とする請求項２４記載のディスプレーアセンブリー。
【請求項２８】
前記後面収納枠は前記ディスプレーモジュールの後面を支持する底部を含み、前記第２ユーザーホールは前記第１ユーザーホールに対応するように底部の周囲部に形成されることを特徴とする請求項２４記載のディスプレーアセンブリー。
【請求項２９】
前記後面収納枠は前記支持枠の側部と前記前面収納枠の側面部との間に配置される側壁部を含むことを特徴とする請求項２４記載のディスプレーアセンブリー。
【請求項３０】
前記後面収納枠の切開部は前記第２ユーザーホールを露出させるために前記側壁部を露出させ、前記少なくとも１つ以上の補強部材は互いに対向する前記側壁部のエッジを互いに接続させ、前記側壁部のエッジは前記切開部によって形成されることを特徴とする請求項２９記載のディスプレーアセンブリー。
【発明の詳細な説明】
【技術分野】
【０００１】
本発明は、ディスプレーアセンブリー及びこれを有する表示装置に関し、より詳しくは、平板型ディスプレーアセンブリーとカバーをフロントマウント（ｆｒｏｎｔ  ｍｏｕｎｔ）方式で結合させる構造及びこのような構造を有する表示装置に関する。
【背景技術】
【０００２】
一般的に、代表的な平板表示装置の１つである液晶表示装置は光を供給するバックライトアセンブリーとこの光を利用して映像を表示する液晶表示パネルを含む。
【０００３】
液晶表示装置は薄くて軽く、低消費電力及び低駆動電圧を有するという理由で産業分野全般にわたって広く使用されている。特に、近年はＴＶのような大型電子装置でその使用量が急増している。
【０００４】
テレビのような大型液晶表示装置においては、液晶表示装置の保護と優れたデザインのために、使用者に直接的に露出されるカバー、例えば、プラスチック材質のフロントカバー及びリヤカバーをもって液晶表示装置を収納する。
【０００５】
液晶表示装置の最外郭は液晶表示パネル及びバックライトアセンブリーを保護するために金属材質のシャシーで包まれる。シャシーとカバーが結合されて液晶表示装置はカバーに堅固に装着される。
【０００６】
液晶表示装置をカバーに結合させる方式にはサイドマウント方式、又はフロントマウント方式が知られている。サイドマウント方式では、シャシーの側面にスクリュー締結されるブラケットが追加的に使用され、フロントカバー又はリヤカバーがブラケットに結合される。
【０００７】
従って、サイドマウント方式の場合、ブラケットのような別途の接続部材によって液晶表示装置の側面とフロントカバーの側面間の離隔間隔が増加し、これにより表示画面を規定するフロントカバーの枠幅を減少させることに限界が生じる。
【０００８】
液晶表示装置のスリム化という趨勢に応じるために表示装置の枠幅を減少させることが技術的論点となっている。このような趨勢に対して上述したサイドマウント方式の弱点を克服するためにフロントマウント方式が提案された。フロントマウント方式ではブラケットを除去し、液晶表示装置のシャシーの正面にフロントカバー及びリヤカバーとの締結構造が形成される。
【０００９】
しかし、フロントマウント方式を実現するためには液晶表示装置のシャシーの側壁にフロントカバー又はリヤカバーより延長された締結突起との干渉を避けるために切開部が形成される。これにより、シャシーの側壁は数ヶ所に開口された構造を有して外部からの衝撃、特に側壁に対する曲げ応力が弱くなる。その結果、液晶表示装置の組立工程においてシャシーが変形しやすくなり、組立不良が頻繁に発生するという問題点がある。
【発明の概要】
【発明が解決しようとする課題】
【００１０】
そこで、本発明は、上記従来の問題点に鑑みてなされたものであって、本発明の目的は、フロントマウント結合のための構造を有し、外部衝撃に対する強度を向上させたディスプレーアセンブリーを提供することにある。
【００１１】
また、本発明の目的は、このディスプレーアセンブリーを有する表示装置を提供することにある。
【課題を解決するための手段】
【００１２】
上記目的を達成するためになされた本発明の一特徴によるディスプレーアセンブリーは、ディスプレーモジュール、支持枠、前面収納枠、及び後面収納枠を備える。
【００１３】
前記ディスプレーモジュールは情報を表示する。
【００１４】
前記支持枠は、支持部、側部、少なくとも１つの結合溝、及び第１ユーザーホールを含む。前記支持部はディスプレーモジュールを支持する。前記側部は支持部に接続される。前記結合溝は前記支持部の上面と側部が合って形成される角に形成される。前記第１ユーザーホールは前記結合溝の基底面に形成される。
【００１５】
前面収納枠は上面部及び側面部を含む。前記上面部は前記ディスプレーモジュールの表示画面の縁をカバーし、前記上面部には前記第１ユーザーホールを露出させる第１開口部が形成される。前記側面部は前記上面部から前記側部と対向するように延長される。
【００１６】
前記後面収納枠は、底部、側壁部、切開部、及び第１強度補強部材を含む。前記底部は前記ディスプレーモジュールの後面（ｒｅａｒ  ｆａｃｅ）を支持し、前記底部には前記第１ユーザーホールに対応する第２ユーザーホールが形成される。前記側壁部は前記側部と前記側面部の間に配置される。前記切開部は湾入部を形成して前記第２ユーザーホールを露出させる。前記第１強度補強部材は前記切開部によって形成された互いに対向する側壁部のエッジを互いに接続させる。
【００１７】
本発明の一実施例において、第１強度補強部材は結合溝に収容できる。第１強度補強部材は前記側壁部の前記エッジから延長され、前記結合溝に収容されて前記支持枠と前記後面収納枠を固定させる。第１開口部は側面部を開口させ、前記前面収納枠は前記第１開口部によって形成された前記側面部の互いに対向するエッジを互いに接続させた第２強度補強部材を更に含むことができる。前記第２強度補強部材は前記第１ユーザーホールを避けるように折り曲げられて結合溝に収容できる。この場合、前記第２強度補強部材は前記側面部の下端から離隔されて形成される。
【００１８】
他の実施例において、前記第２強度補強部材は前記第１ユーザーホールを基準に前記第１強度補強部材と反対側に配置できる。
【００１９】
また他の実施例において、前記第１開口部は前記側面部の下端まで開口させ、前記第１強度補強部材は前記側壁部のエッジから前記側面部に向かって突出して前記第１開口部に挿入できる。この場合、前記前面収納枠は前記第１開口部によって形成された前記側面部の互いに対向するエッジを互いに接続させた第２強度補強部材を更に含むことができる。前記第１強度補強部材は前記第２強度補強部材の上側エッジに架かることができる。これとは別に、前記第２強度補強部材は前記第１強度補強部材の外側面に重なることができる。
【００２０】
また他の実施例において、前記第２強度補強部材は前記第１ユーザーホールを基準に前記第１強度補強部材の上側及び反対側に配置されて前記結合溝に収容できる。
【００２１】
本発明の実施例において、前記支持枠は第３ユーザーホールを更に含むことができる。前記第３ユーザーホールは互いに異なる前記側部が互いに合って形成される前記支持枠のコーナー部に対応して前記支持部に形成される。前記前面収納枠は第２開口部を更に含むことができる。前記第２開口部は前記支持枠のコーナー部に対応する前記前面収納枠の前面コーナー部に形成されて前記第３ユーザーホールを露出させる。前記後面収納枠は第３開口部を更に含むことができる。前記第３開口部は支持枠のコーナー部に対応する前記後面収納枠の後面コーナー部に形成されて前記第３ユーザーホールを露出させる。
【００２２】
本発明の実施例において、前記ディスプレーモジュールはバックライトパーツ及び表示パネルユニットを含むことができる。前記バックライトパーツは前記後面収納枠に収納されて光を出射する。前記表示パネルユニットは前記前面収納枠に収納され且つ前記支持部の上面によって支持される。前記表示パネルユニットは前記バックライトパーツが出射した光を基に情報を表示する。
【００２３】
一実施例において、前記バックライトパーツは複数のランプユニット、サイドフレーム、及び光学部材を含むことができる。前記ランプユニットは前記後面収納枠の側壁部と実質的に直交する方向で前記底部に配置される。前記サイドフレームは前記支持部と前記底部との間に配置され、前記サイドフレームには前記ランプユニットの端部を収容する複数のガイド溝が形成される。前記光学部材は前記サイドフレームの上面と前記支持部の下面との間に介在する。
【００２４】
他の実施例において、前記支持枠の結合溝と対向する該支持枠の側部の内側面には複数のガイド溝が更に形成できる。この場合、前記バックライトパーツは複数のランプユニット及び光学部材を更に含むことができる。前記ランプユニットは端部が前記ガイド溝に各々収容される。前記光学部材は前記支持部の上面と前記表示パネルユニットの下面との間に介在する。
【００２５】
上記目的を達成するためになされた本発明の一特徴による表示装置は、ディスプレーモジュール、支持枠、前面収納枠、後面収納枠、フロントカバー、リヤカバー、及び締結部材を含む。
【００２６】
前記支持枠は、支持部、側部、少なくとも１つの結合溝、及び第１ユーザーホールを含む。前記支持部は前記ディスプレーモジュールを支持する。前記側部は前記支持部のエッジから延長される。前記結合溝は前記支持部の上面と前記側部が合って形成される角に形成される。前記第１ユーザーホールは前記結合溝の基底面に形成される。
【００２７】
前記前面収納枠は上面部、側面部、及び第１開口部を含む。前記支持部は前記ディスプレーモジュールの表示画面の縁を支持する。前記側面部は前記上面部より前記支持枠の側部と対向するように延長される。前記第１開口部は前記上面部と前記側面部が合って形成される角に形成されて前記第１ユーザーホールを露出させる。
【００２８】
前記後面収納枠は底部、側壁部、切開部、第１強度補強部材を含む。前記底部はディスプレーモジュールの後面（ｒｅａｒ  ｆａｃｅ）を支持し、前記底部には前記第１ユーザーホールに対応する第２ユーザーホールが形成される。前記側壁部は前記側部と前記側面部との間に配置される。切開部は前記第２ユーザーホールと交差する側壁部を上端から開口させて該第２ユーザーホールを露出させる。前記第１強度補強部材は前記第２ユーザーホールを回避するように折り曲げられて前記切開部によって形成された前記側壁部の互いに対向するエッジを互いに接続させる。
【００２９】
前記フロント（ｆｒｏｎｔ）カバーは前記表示画面が露出するように前記前面収納枠を収納する。前記リヤ（ｒｅａｒ）カバーは前記フロントカバーと対向して結合され前記後面収納枠を収納する。前記締結部材は前記第１ユーザーホール及び前記第２ユーザーホールを貫通して前記フロントカバー及び前記リヤカバーに各々締結される。
【００３０】
本発明の一実施例において、前記フロントカバーはフロントボディー及び結合部を含むことができる。前記フロントボディーは前記前面収納枠をカバーする。前記結合部はフロントボディーから延長されて前記第１開口部を貫通して前記基底面に配置される。前記締結部材は前記リヤカバー、前記第２ユーザーホール、及び前記第１ユーザーホールを貫通して前記結合部に挿入される。
【００３１】
本発明の実施例において、前記前面収納枠は第２強度補強部材を更に含むことができる。前記側面部は前記第１開口部によって下端まで開口される。
【００３２】
一実施例において、前記第２強度補強部材は前記第１開口部によって形成された前記側面部の互いに対向するエッジを接続する。前記第１強度補強部材及び前記第２強度補強部材は前記第１ユーザーホールを避けるように折り曲げられて前記結合溝に各々収容できる。
【００３３】
他の実施例において、前記第１強度補強部材及び前記第２強度補強部材は前記第１ユーザーホールを基準に前記結合溝の側面の反対側に配置できる。この場合、前記第１強度補強部材は前記第２強度補強部材の上側エッジに架かることができる。これとは別に、前記第２強度補強部材は前記第１強度補強部材の外側面に重なることができる。
【００３４】
また他の実施例において、前記第１強度補強部材及び前記第２強度補強部材の内の１つは前記第１ユーザーホールを避けるように前記結合溝に収容され、残りの１つは前記結合溝に向かう方向の反対方向に突出することができる。
【発明の効果】
【００３５】
本発明のディスプレーアセンブリー及びこれを有する表示装置は、ディスプレーモジュールを収納する後面収納枠及び／又は前面収納枠の側壁にフロントマウント方式の結合のために切開部が形成され、強度補強部材が切開部によって形成された側壁の互いに対向するエッジを接続して側壁の強度を向上させる。従って、本発明のディスプレーアセンブリー及びこれを有する表示装置によれば、ブラケットのような別途の部材を使用しないでディスプレーアセンブリーをフロントマウント方式でフロントカバー及び／又はリヤカバーと結合させることができ、外部衝撃に対するディスプレーアセンブリーの強度を向上させることができる。また、ディスプレーアセンブリーの表示画面を規定するフロントカバーの縁の幅及び装置の体積を大きく減少させることができる。
さらに、後面収納枠の側壁に一体で形成された第１強度補強部材は後面収納枠の側壁に形成された切開部による後面収納枠の強度の低下を補償する。
従って、本発明のディスプレーアセンブリー及びこれを有する表示装置は、平板表示装置のサイズ減少、結合構造の改善技術に適用することができる。
【図面の簡単な説明】
【００３６】
【図１】実施例１によるディスプレーアセンブリーの斜視図である。
【図２】図１に示したディスプレーアセンブリーの分解斜視図である。
【図３】図２に示した後面収納枠及び支持枠が結合された状態を示す斜視図である。
【図４】図３に示した後面収納枠と前面収納枠の結合方式を説明するディスプレーアセンブリーの部分斜視図である。
【図５】図４に示したディスプレーアセンブリーをＩ−Ｉ’線に沿って切断した断面図である。
【図６】図１〜図５に示したディスプレーアセンブリーを有する表示装置の分解斜視図である。
【図７】図５及び図６に示したディスプレーアセンブリーを有する表示装置の断面図である。
【図８】実施例２によるディスプレーアセンブリーの分解斜視図である。
【図９】図８に示したディスプレーアセンブリーをＩＩＩ−ＩＩＩ’線に沿って切断した断面図である。
【図１０】図８及び図９に示したディスプレーアセンブリーを有する表示装置の断面図である。
【図１１】実施例３によるディスプレーアセンブリーの斜視図である。
【図１２】実施例４によるディスプレーアセンブリーの斜視図である。
【図１３】実施例５によるディスプレーアセンブリーの斜視図である。
【図１４】実施例６によるディスプレーアセンブリーの斜視図である。
【図１５】実施例７によるディスプレーアセンブリーの斜視図である。
【図１６】実施例８によるディスプレーアセンブリーの分解斜視図である。
【図１７】図１６に示した表示装置をＩＶ−ＩＶ’線に沿って切断した断面図である。
【図１８】図１６に示した後面収納枠と支持枠の結合状態を図示する斜視図である。
【図１９】図１６に示した支持枠、後面収納枠、及びミドルモールドフレームの結合状態を図示する斜視図である。
【図２０】図１６〜図１９に示したディスプレーアセンブリーを有する表示装置の断面図である。
【発明を実施するための形態】
【００３７】
以下、本発明のディスプレーアセンブリー及びこれを有する表示装置を実施するための形態の具体例を、図面を参照しながら詳細に説明する。
【００３８】
本発明は多様な変更を加えることができ、様々な形態を有する。以下に特定の実施例を図面と共に例示して詳しく説明する。しかし、これは本発明を特定の開示された実施形態に対して限定しようするものではなく、本発明の思想及び技術範囲に含まれる全ての変更された均等物或いは代替物を含むものと理解すべきである。
【００３９】
各図面を説明する際に類似する参照符号を類似する構成要素に対して使用した。図面において、構造物のサイズは本発明の明確性に基づくために実際より拡大して図示したものである。
【００４０】
第１、第２などの用語は多様な構成要素を説明する際に使用できるが、各構成要素はこれらの用語によって限定されるものではない。用語は１つの構成要素を別の構成要素と区別する目的のみに使用される。例えば、本発明の権利範囲内でありながら第１構成要素を第２構成要素に命名でき、同様に第２構成要素も第１構成要素に命名できる。単数表現は文脈上、明白に異なるものであることを示さない限り、複数表現を含む。
【００４１】
本出願において、「含む」又は「有する」などの用語は明細書上に記載された特徴、数字、段階、動作、構成要素、部分品、又はこれらを組み合わせたものが存在することを指定しようとするものであり、１つ又はそれ以上の他の特徴、或いは数字、段階、動作、構成要素、部分品、又はこれらを組み合わせたものの存在又は付加可能性を予め排除しないものと理解すべきである。
【００４２】
また、別に定義しない限り、技術的或いは科学的用語を含んで、ここで使用される全ての用語は本発明が属する技術分野において通常の知識を有するものによって一般的に理解されるものと同一の意味を有する。一般的に使用される辞書に定義されるものと同じ用語は関連技術の文脈上に有する意味と一致する意味を有するものと解釈すべきであり、本明細書において明白に定義しない限り、理想的又は過度に形式的な意味として解釈すべきではない。
【実施例１】
【００４３】
図１は、実施例１によるディスプレーアセンブリーの斜視図である。図２は、図１に示したディスプレーアセンブリーの分解斜視図である。
【００４４】
図１及び図２を参照すると、ディスプレーアセンブリー１００はカバー（図示せず）にフロントマウント方式で結合するための構造を有する。ディスプレーアセンブリー１００は、ディスプレーモジュール１０１、支持枠１５０、前面収納枠２１０、及び後面収納枠２５０を含む。
【００４５】
ディスプレーモジュール１０１は、平板型表示装置であり、表示画面を通じて情報を表示する。ディスプレーモジュール１０１は、バックライトパーツ１１０、及び表示パネルパーツ（表示パネルユニット）１３０を含むことができる。
【００４６】
バックライトパーツ１１０は光を出射する。表示パネルパーツ１３０はバックライトパーツ１１０の上側に配置されてバックライトパーツ１１０が出射した光を基に情報を表示する。
【００４７】
バックライトパーツ１１０は、複数のランプユニット１１１、サイドフレーム１１３、及び光学部材１１５を含むことができる。
【００４８】
ランプユニット１１１はランプ及びランプソケットを含むことができる。ランプは冷陰極蛍光ランプであり得る。ランプソケットはランプの端部を包んでランプの電極部を保護する。
【００４９】
複数のランプが互いに平行に配置され、サイドフレーム１１３はランプの端部に結合されたランプソケットをカバーする。サイドフレーム１１３はランプユニット１１１を互いに平行に整列させ、サイドフレーム１１３の側面にはランプがガイドされるガイド溝が形成されている。サイドフレーム１１３の上面には光学部材１１５が配置される段差部が形成されている。
【００５０】
光学部材１１５はランプユニット１１１から出射した光を拡散及び集光させる。光学部材１１５は、順次に積層された拡散板１１２、第１集光シート１１４、第２集光シート１１６、及び保護シート１１８を含むことができる。
【００５１】
表示パネルパーツ１３０は光学部材１１５から出射した光を基に映像を表示する。表示パネルパーツ１３０は、表示パネル、印刷回路基板１３５、及びフレキシブル回路フィルム１３７を含むことができる。
【００５２】
表示パネルは光学部材１１５の上部に配置される。表示パネルは、下部基板１３１、上部基板１３３、及び液晶層を含む。
【００５３】
印刷回路基板１３５は表示パネルに映像情報信号を出力する。
【００５４】
フレキシブル回路フィルム１３７は表示パネルの下部基板１３１の一側エッジに形成されたパッドと印刷回路基板１３５を電気的に接続させる。
【００５５】
支持枠１５０はプラスチック射出物であり得る。支持枠１５０はディスプレーモジュール１０１を支持する。支持枠１５０は、支持部１５１、側部１５３、少なくとも１つの結合溝１５５、及び第１ユーザーホール１５７を含む。
【００５６】
支持部１５１は表示画面に対応する領域が開口されて四角形の額縁形状を有する。従って、支持部１５１は互いに対向する外側短辺と互いに対向する外側長辺を含む。支持部１５１の上面には表示パネルが配置される段差部が形成される。支持部１５１の下面はサイドフレーム１１３上に配置された光学部材の縁を押さえる。ランプは支持部１５１の長辺とほぼ平行に配置される。
【００５７】
側部１５３は支持部１５１の短辺から支持部１５１とほぼ直交する下側方向に延長できる。図２において、支持部１５１の外側長辺からは短辺からより側部１５３が短く延長される。これとは別に、支持部１５１の外側長辺からは側部１５３が延長されない場合もある。
【００５８】
結合溝１５５は支持部１５１の上面と側部１５３が合って形成される角に各々形成される。従って、結合溝１５５は上側及び側面方向に開口されている。結合溝１５５は、支持部１５１の上面と実質的に直交する側面、及び結合溝１５５の側面に接続されて支持部１５１の上面と平行する基底面を含む。
【００５９】
第１ユーザーホール１５７は結合溝１５５の基底面を貫通して形成される。第１ユーザーホール１５７はディスプレーアセンブリー１００をカバーにフロントマウント方式で固定することに使用できる。
【００６０】
図３は、図２に示した後面収納枠及び支持枠が結合された状態を示す斜視図である。
【００６１】
図２及び図３を参照すると、後面収納枠２５０は、底部２５２、側壁部、切開部、及び第１強度補強部材２６０を含む。
【００６２】
底部２５２の上部には支持枠１５０が配置される。支持枠１５０の支持部１５１は底部２５２の縁に対応するように配置される。支持枠１５０の側部１５３の下端は底部２５２によって支持される。
【００６３】
支持枠１５０が額縁形状を有するため、支持枠１５０によって露出された底部２５２にはバックライトパーツ１１０が配置される。底部２５２にはランプが配置され、ランプの端部にはサイドフレーム１１３が配置される。
【００６４】
底部２５２はほぼ四角板の形状を有し、底部２５２の短辺側の縁には支持部１５１に形成された第１ユーザーホール１５７に対応する第２ユーザーホール２５４が形成される。
【００６５】
側壁部は底部２５２から延長される。側壁部は第１側壁２５１、第２側壁２５３、第３側壁２５５、及び第４側壁２５７を含むことができる。
【００６６】
第１側壁２５１及び第２側壁２５３は、支持枠１５０の短辺側の側部１５３と向い合うように底部２５２から延長され、互いに対向する。第１側壁２５１及び第２側壁２５３には結合溝１５５に対応する切開部が形成される。第１側壁２５１及び第２側壁２５３はその形状が実質的に同一であるため第１側壁２５１を中心に説明し、重複する説明は省略する。
【００６７】
切開部は第１側壁２５１の上端から底部２５２まで第１側壁２５１の一部が除去されて形成され得る。第１側壁２５１には切開部によって互いに対向するエッジが形成される。切開部は結合溝１５５を側方向に露出させ、第１側壁２５１のエッジの間の底部２５２には上述したように第２ユーザーホール２５４が第１ユーザーホール１５７に対応して配置される。
【００６８】
第１強度補強部材２６０は、図３に示したように、切開部によって形成された第１側壁２５１の互いに対向するエッジを互いに接続させる。従って、第１強度補強部材２６０は切開部２５８によって弱体化された第１側壁２５１の強度を補強する。
【００６９】
第１強度補強部材２６０は、第１側壁２５１と一体に形成でき、結合溝１５５の基底面に形成された第１ユーザーホール１５７の周辺に沿って折り曲げられ、第１開口部２１５を避けるように形成される。
【００７０】
本実施例において、第１強度補強部材２６０は、図３に示したように、結合溝１５５に収容される。第１強度補強部材２６０は第１ユーザーホール１５７が上側に完全に露出するように結合溝１５５の側面と第１ユーザーホール１５７との間に延長される。
【００７１】
第１強度補強部材２６０は、図３に示したように、ほぼ結合溝１５５の側面に沿うが、複数の位置において角張った形状を有することができる。これとは別に、第１強度補強部材２６０は第１ユーザーホール１５７を避けてほぼ結合溝１５５の側面に沿って丸く折り曲げることもできる。
【００７２】
第１強度補強部材２６０は結合溝１５５に挿入されて支持枠１５０と後面収納枠２５０の結合の際に相互に結合される位置をガイドする。
【００７３】
第３側壁２５５及び第４側壁２５７は互いに対向するように配置され、第１側壁２５１及び第２側壁２５３に対してほぼ直交する方向に配置される。第３側壁２５５及び第４側壁２５７は互いに実質的に同一形状を有することができる。支持部１５１は第３側壁２５５の上端及び第４側壁２５７の上端によって支持することができる。
【００７４】
図４は、図３に示した後面収納枠と前面収納枠の結合方式を説明するディスプレーアセンブリーの部分斜視図である。図５は、図４に示したディスプレーアセンブリーＩ−Ｉ’線に沿って切断した断面図である。
【００７５】
図４及び図５を参照すると、前面収納枠２１０は支持枠１５０を収納した後面収納枠２５０を収納する。前面収納枠２１０は上面部２１１及び側面部２１３を含む。
【００７６】
上面部２１１は表示画面に対応する領域が開口された四角額縁形状を有する。上面部２１１は支持枠１５０上に配置された表示パネルの縁を支持する。
【００７７】
側面部２１３は上面部２１１のエッジから後面収納枠２５０の第１〜第４側壁２５１、２５３、２５５、２５７の外側面と対向するように配置される。
【００７８】
上面部２１１には支持枠１５０の結合溝１５５を露出させる第１開口部２１５が形成される。第１開口部２１５は側面部２１３の下端まで延長されて側面部２１３の下端まで開口させることができる。従って、第１開口部２１５によって結合溝１５５の基底面及び第１ユーザーホール１５７が露出される。
【００７９】
サイドフレーム１１３は支持枠１５０の側部１５３の内側面に配置され、支持枠１５０の支持部１５１はサイドフレーム１１３によって支持される光学部材の縁を押さえる。
【００８０】
スクリューのような締結部材が第２ユーザーホール２５４、第１ユーザーホール１５７、及び第１開口部２１５を貫通でき、締結部材はフロントマウント方式でディスプレーアセンブリー１００をカバーのような外部のハウジングに固定させることができる。
【００８１】
再び、図２、図３、及び図４を参照すると、支持枠１５０はフロントマウント方式の結合を強化させるために第３ユーザーホール１５９を更に含むことができる。第３ユーザーホール１５９は、図３及び図４に示したように、支持枠１５０の互いに異なる側部１５３が合う支持枠コーナー部１５８に対応する支持部１５１のコーナー領域に形成できる。
【００８２】
これに対応して、前面収納枠２１０には支持枠コーナー部１５８を露出させる第２開口部を更に形成できる。即ち、前面収納枠２１０の互いに異なる側面部２１３が互いに合う前面収納枠２１０のコーナー部及びこれに対応する前面収納枠２１０の上面部２１１コーナー領域が除去されて前記第２開口部を形成できる。
【００８３】
これに相応して、後面収納枠２５０には支持枠コーナー部１５８を露出させる第３開口部を更に形成できる。即ち、後面収納枠２５０の第１側壁２５１と第３及び第４側壁２５７が互いに合うコーナー部、及び第２側壁２５３と第３側壁２５５及び第４側壁２５７が互いに合うコーナー部が除去されて第３開口部を形成できる。
【００８４】
図６は、図１〜図５に示したディスプレーアセンブリーを有する表示装置の分解斜視図である。
【００８５】
図６を参照すると、表示装置２００はディスプレーアセンブリー１００、フロントカバー２７０、リヤカバー２９０、及び第１締結部材２３１を含む。
【００８６】
ディスプレイーアセンブリー１００は図１〜図５を参照して説明したものと同一である。従って、同一の参照番号を使用し、重複する説明は省略する。
【００８７】
本実施例において、フロントカバー２７０はフロントボディー及び第１結合部２７５（図７参照）を含む。フロントボディーは枠２７１及びフロント側壁２７３を含む。枠２７１は表示パネルの表示画面を露出させて前面収納枠２１０の上面部２１１をカバーする。フロント側壁２７３は前面収納枠２１０の側面部２１３の外側に配置される。
【００８８】
図７は、図５及び図６に示したディスプレーアセンブリーを有する表示装置の断面図である。
【００８９】
図７を参照すると、第１結合部２７５はフロントボディーから延長された結合突起であり、第１開口部２１５を通じて露出された第１ユーザーホール１５７の基底面上に配置される。
【００９０】
リヤカバー２９０はリヤボディー及び第２結合部２９５を含む。
【００９１】
リヤボディーは背面部２９１及びリヤ側壁２９３を含む。背面部２９１は底部２５２をカバーする。リヤ側壁２９３は前面収納枠２１０の側面部２１３と対向するように配置され、フロントカバー２７０のフロント側壁２７３の下端と合う。
【００９２】
第２結合部２９５はリヤボディーから延長された結合突起で、第２ユーザーホール２５４を貫通して第１ユーザーホール１５７の下部に配置される。従って、第１結合部２７５及び第２結合部２９５は支持枠１５０を間において互いに対向して配置される。
【００９３】
第１締結部材２３１はスクリューであり得る。第１締結部材２３１は背面部２９１から第２結合部２９５、第２ユーザーホール２５４及び第１ユーザーホール１５７を貫通して第１結合部２７５に締結される。
【００９４】
フロントカバー２７０は第３結合部を更に含むことができる。第３結合部はフロントボディーから延長されて支持枠コーナー部１５８に形成された第３ユーザーホール１５９の上部に配置することができる。
【００９５】
リヤカバー２９０は第４結合部を更に含むことができる。第４結合部はリヤボディーから延長されて第３ユーザーホール１５９の下部に配置することができる。
【００９６】
表示装置２００は第４結合部及び第３ユーザーホール１５９を貫通して第３結合部に締結される第２締結部材２３３を更に含むことができる。
【００９７】
本実施例によれば、前面収納枠２１０、支持枠１５０、及び後面収納枠２５０の特徴的構造によって、ディスプレーアセンブリー１００の側面に配置されてフロントカバー２７０及び／又はリヤカバー２９０とディスプレーアセンブリー１００を接続させるためのブラケットのような別途の部材を使用しなくてもディスプレーアセンブリー１００をフロントマウント方式でフロントカバー２７０及び／又はリヤカバー２９０と結合させることができる。
【００９８】
従って、ディスプレーアセンブリー１００の表示画面を規定するフロントカバー２７０の枠２７１の幅を大きく減少させることができる。
【００９９】
一方、後面収納枠２５０の側壁に一体に形成された第１強度補強部材２６０は後面収納枠２５０の側壁に形成された切開部による後面収納枠２５０の強度の低下を補償して後面収納枠２５０の強度を一定水準以上に維持する。
【実施例２】
【０１００】
図８は、実施例２によるディスプレーアセンブリーの分解斜視図である。図９は、図８に示したディスプレーアセンブリーをＩＩＩ−ＩＩＩ’線に沿って切断した断面図である。
【０１０１】
図８及び図９を参照すると、本実施例によるディスプレーアセンブリー４００は、ディスプレーモジュール４０１、支持枠４５０、前面収納枠５１０、及び後面収納枠５５０を含む。
【０１０２】
ディスプレーアセンブリー４００は前面収納枠５１０が第２強度補強部材５１７を更に含むことを除いては図１〜図５を参照して説明したディスプレーアセンブリー１００と実質的に同一である。従って、同一の構成要素に対しては対応する参照番号を使用し、重複する説明は省略する。
【０１０３】
本実施例において、前面収納枠５１０は、上面部５１１、側面部５１３、及び第２強度補強部材５１７を含む。
【０１０４】
上面部５１１はディスプレーモジュール４０１の表示パネルの縁を支持する。上面部５１１には支持枠４５０の結合溝４５５を露出させる第１開口部５１５が形成される。第１開口部５１５は側面部５１３の下端まで延長され、側面部５１３は第１開口部５１５によって下端に開口される。従って、側面部５１３には第１開口部５１５によって互いに対向するエッジが形成される。
【０１０５】
第２強度補強部材５１７は側面部５１３の下端から所定の間隔で離隔された位置に形成される。第２強度補強部材５１７は、側面部５１３のエッジに一体で形成され、エッジを互いに接続させる。従って、第２強度補強部材５１７は第１開口部５１５によって弱体化された前面収納枠５１０の強度を補強する。
【０１０６】
本実施例において、第２強度補強部材５１７は結合溝４５５の側面に向かう方向に折り曲げられて結合溝４５５に収容される。この際、結合溝４５５の側面には後面収納枠５５０の第１強度補強部材５６０が予め挿入され、第２強度補強部材５１７は第１強度補強部材５６０の外側面に重畳するように配置することができる。
【０１０７】
図１０は、図８及び図９に示したディスプレーアセンブリーを有する表示装置の断面図である。
【０１０８】
図１０を参照すると、本実施例による表示装置５００は図８及び図９に示したディスプレーアセンブリー４００を含むことを除いては図６及び図７を参照して説明した表示装置２００と実質的に同一である。従って、対応する構成要素に対しては対応する番号を与え、重複する説明は省略する。
【０１０９】
本実施例の表示装置５００において、前面収納枠５１０、支持枠４５０、及び後面収納枠５５０は、フロントマウント方式の結合のための特徴的構造を有し、この特徴的構造を達成しながら部材の強度が低下することを防止する構造を有する。
【実施例３】
【０１１０】
図１１は、実施例３によるディスプレーアセンブリーの斜視図である。
【０１１１】
図１１を参照すると、ディスプレーアセンブリー７００は、ディスプレーモジュール、支持枠７５０、前面収納枠８１０、及び後面収納枠を含む。
【０１１２】
本実施例のディスプレーアセンブリー７００は、前面収納枠８１０が第２強度補強部材８１７を更に含むことを除いては図１〜図５を参照して説明したディスプレーアセンブリー１００と実質的に同一である。従って、同一の構成要素に対しては対応する参照番号を使用し、重複する説明は省略する。
【０１１３】
本実施例において、前面収納枠８１０は、上面部８１１、側面部８１３、及び第２強度補強部材８１７を含む。
【０１１４】
第２強度補強部材８１７は、側面部８１３の下端から側面部８１３と一体に形成され、所定の幅で側面部８１３と平行に形成される。第２強度補強部材８１７は第１ユーザーホール７５７を基準に第１強度補強部材８６０と反対側に配置される。即ち、第１強度補強部材８６０は結合溝に収容され、第２強度補強部材８１７は支持枠７５０の側部をカバーするように配置される。
【０１１５】
本実施例による表示装置は図１１に示したディスプレーアセンブリー７００を含むことを除いては図６及び図７を参照して説明した表示装置２００と実質的に同一である。従って、対応する構成要素に対しては対応する参照番号を与え、重複する説明は省略する。
【実施例４】
【０１１６】
図１２は、実施例４によるディスプレーアセンブリーの斜視図である。
【０１１７】
図１２を参照すると、ディスプレイーアセンブリー９００は、ディスプレーモジュール、支持枠９５０、前面収納枠１０１０及び後面収納枠を含む。
【０１１８】
本実施例のディスプレーアセンブリー９００は後面収納枠の第１強度補強部材１０６０の形状を除いては図１〜図５を参照して説明したディスプレーアセンブリー１００と実質的に同一である。従って、対応する構成要素に対しては対応する参照番号を使用し、重複する説明は省略する。
【０１１９】
本実施例において、後面収納枠は第２ユーザーホールが形成された底部、側壁部、切開部、及び第１強度補強部材１０６０を含む。
【０１２０】
第１強度補強部材１０６０は切開部によって形成された側壁部のエッジを互いに接続させる。第１強度補強部材１０６０は、図１２に示したように、前面収納枠１０１０の側面部１０１３に向かって突出して側面部１０１３に形成された第１開口部１０１５に挿入される。
【０１２１】
第１強度補強部材１０６０は切開部によって弱くなる後面収納枠の強度を補強するのみでなく、第１開口部１０１５に挿入されて後面収納枠と前面収納枠１０１０の結合の際に相互に結合される位置をガイドする。
【０１２２】
本実施例による表示装置は図１２に示したディスプレーアセンブリー９００を含むことを除いては図６及び図７を参照して説明した表示装置２００と実質的に同一である。従って、対応する構成要素に対しては対応する参照番号を与え、重複する説明は省略する。
【実施例５】
【０１２３】
図１３は、実施例５によるディスプレーアセンブリーの斜視図である。
【０１２４】
図１３を参照すると、ディスプレーアセンブリー１１００は後面収納枠の第１強度補強部材１２６０の形状及び前面収納枠１２１０が第２強度補強部材１２１７を更に含むことを除いては図１〜図５を参照して説明したディスプレーアセンブリー１００と実質的に同一である。従って、対応する構成要素に対しては対応する参照番号を使用し、重複する説明は省略する。
【０１２５】
本実施例において、第１強度補強部材１２６０は、図１３に示したように、前面収納枠１２１０の側面部１２１３に向かって突出して側面部１２１３に形成された第１開口部１２１５に挿入される。第１強度補強部材１２６０の上側エッジには支持枠の側部１１５３に向かって傾いた傾斜部１２６１が形成されている。
【０１２６】
第１強度補強部材１２６０は切開部によって弱くなる後面収納枠の強度を補強するのみでなく、第１開口部１２１５に挿入されて後面収納枠と前面収納枠１２１０の結合の際に相互に結合される位置をガイドする。
【０１２７】
前面収納枠１２１０の第２強度補強部材１２１７は第１開口部１２１５によって形成された側面部１２１３のエッジを互いに接続させる。第２強度補強部材１２１７は外側に突出している。後面収納枠と前面収納枠１２１０が結合される際、第１強度補強部材１２６０の傾斜部１２６１に沿ってスライドさせる。その結果、第１強度補強部材１２６０は第２強度補強部材１２１７の上側エッジに架かる。
【０１２８】
本実施例による表示装置は図１３に示したディスプレーアセンブリー１１００を含むことを除いては図６及び図７を参照して説明した表示装置２００と実質的に同一である。従って、対応する構成要素に対しては対応する参照番号を与え、重複する説明は省略する。
【実施例６】
【０１２９】
図１４は、実施例６によるディスプレーアセンブリーの斜視図である。
【０１３０】
図１４を参照すると、ディスプレーアセンブリー１３００は後面収納枠の第１強度補強部材１４６０の形状及び前面収納枠１４１０が第２強度補強部材１４１７を更に含むことを除いては図１〜図５を参照して説明したディスプレーアセンブリー１００と実質的に同一である。従って、対応する構成要素に対しては対応する参照番号を使用し、重複する説明は省略する。
【０１３１】
本実施例において、第１強度補強部材１４６０は、図１４に示したように、前面収納枠１４１０の側面部１４１３に向かって突出して側面部１４１３に形成された第１開口部１４１５に挿入される。第１強度補強部材１４６０は切開部によって弱くなる後面収納枠の強度を補強するのみでなく、第１開口部１４１５に挿入されて後面収納枠と前面収納枠１４１０の結合の際に相互に結合される位置をガイドする。
【０１３２】
前面収納枠１４１０の第２強度補強部材１４１７は第１開口部１４１５によって形成された側面部１４１３のエッジを互いに接続させる。第２強度補強部材１４１７は外側に突出しており、第１強度補強部材１４６０の外側面に重なる。
【０１３３】
本実施例による表示装置は図１４に示したディスプレーアセンブリー１３００を含むことを除いては図６及び図７を参照して説明した表示装置２００と実質的に同一である。従って、対応する構成要素に対しては対応する参照番号を与え、重複する説明は省略する。
【実施例７】
【０１３４】
図１５は、実施例７によるディスプレーアセンブリーの斜視図である。
【０１３５】
図１５を参照すると、ディスプレーアセンブリー１５００は後面収納枠の第１強度補強部材１６６０の形状及び前面収納枠１６１０が第２強度補強部材１６１７を更に含むことを除いては図１〜図５を参照して説明したディスプレーアセンブリー１００と実質的に同一である。従って、対応する構成要素に対しては対応する参照番号を使用し、重複する説明は省略する。
【０１３６】
本実施例において、第１強度補強部材１６６０は、図１４に示したように、前面収納枠１６１０の側面部１６１３に向かって突出して側面部１６１３に形成された第１開口部１６１５に挿入される。第１強度補強部材１６６０は切開部によって弱くなる後面収納枠の強度を補強するのみでなく、第１開口部１６１５に挿入されて後面収納枠と前面収納枠１６１０の結合の際に相互に結合される位置をガイドする。
【０１３７】
前面収納枠１６１０の第２強度補強部材１６１７は支持枠１５５０の結合溝１５５５に形成された第１ユーザーホール１５５７を基準に第１強度補強部材１６６０の上側及び反対側に配置される。即ち、第２強度補強部材１６１７は結合溝１５５５に収容され、ほぼ丸まった形状を有することもできる。
【０１３８】
本実施例による表示装置は図１５に示したディスプレーアセンブリー１５００を含むことを除いては図６及び図７を参照して説明した表示装置２００と実質的に同一である。従って、対応する構成要素に対しては対応する参照番号を与え、重複する説明は省略する。
【実施例８】
【０１３９】
図１６は、実施例８によるディスプレーアセンブリーの分解斜視図である。
【０１４０】
図１６を参照すると、ディスプレーアセンブリー１７００は、ディスプレーモジュール１７０１、支持枠１７１３、前面収納枠１８１０、及び後面収納枠１８５０を含む。
【０１４１】
ディスプレーモジュール１７０１はバックライトパーツ１７１０及び表示パネルパーツ１７３０を含む。
【０１４２】
バックライトパーツ１７１０は、図２を参照して説明したサイドフレーム１１３を含まないことを除いては図１〜図５を参照して説明したバックライトパーツ１１０と実質的に同一である。従って、バックライトパーツ１７１０はランプユニット１７１１及び光学部材１７１５を含む。対応する構成要素に対しては対応する参照番号を与え、重複する説明は省略する。
【０１４３】
表示パネルパーツ１７３０は図１〜図５を参照して説明した表示パネルパーツ１３０と実質的に同一である。従って、対応する構成要素に対しては対応する参照番号を与え、重複する説明は省略する。
【０１４４】
図１７は、図１６に示した表示装置をＩＶ−ＩＶ’線に沿って切断した断面図である。
【０１４５】
図１６及び図１７を参照すると、本実施例においてディスプレーアセンブリー１７００は図１〜図５を参照して説明した支持枠１５０を含まない。本実施例において支持枠１７１３は図２を参照して説明したサイドフレーム１１３に対応する
【０１４６】
支持枠１７１３は結合溝１７２５が更に形成されることを除いては図２を参照して説明したサイドフレーム１１３と実質的に同一である。支持枠１７１３は支持部１７２１及び側部１７２３を含む。
【０１４７】
支持部１７２１には、図１７に示したように、光学部材１７１５を支持する段差部が形成される。
【０１４８】
側部１７２３は支持部１７２１の互いに対向するエッジに各々形成された外側部１７２２及び内側部１７２４を含む。外側部１７２２と内側部１７２４は互いに離隔され、外側部１７２２と内側部１７２４の間にはランプホルダーが配置される。外側部１７２２と支持部１７２１が合う角には結合溝１７２５が形成され、結合溝１７２５の基底面には第１ユーザーホール１７２７が形成される。内側部１７２４にはランプをガイドするガイド溝が形成される。
【０１４９】
図１８は、図１６に示した後面収納枠と支持枠の結合状態を図示する斜視図である。
【０１５０】
図１６〜図１８を参照すると、後面収納枠１８５０は底部１８５２、側壁部、及び第１強度補強部材１８６０を含む。
【０１５１】
後面収納枠１８５０はコーナー部に第３開口部が形成されないことを除いては図１〜図５を参照して説明した後面収納枠２５０と実質的に同一である。従って、後面収納枠１８５０は底部１８５２、切開部が形成された第１側壁１８５１及び第２側壁１８５３と第３側壁１８５５及び第４側壁１８５７を含む。
【０１５２】
第３側壁１８５５及び第４側壁１８５７は、各々第１面１８６１、第２面１８６３、及び第３面１８６５を含むことができる。
【０１５３】
第１面１８６１は底部１８５２から上側に突出し、第３面１８６５は第１面１８６１と平行に外側に配置される。第２面１８６３は第１面１８６１及び第３面１９６５の上端に接続される。
【０１５４】
第２面１８６３及び第３面１８６５が合う角にはフロントマウント方式の結合のための第４開口１８５６を形成できる。
【０１５５】
支持枠１７１３は底部１８５２に配置され、側部１７２３は底部１８５２によって支持される。
【０１５６】
従って、対応する構成要素に対しては対応する参照番号を使用し、重複する説明は省略する。
【０１５７】
支持枠１７１３が後面収納枠１８５０に収納されることにより第１強度補強部材１８６０は支持枠１７１３に形成された結合溝１７２５に収容される。第１強度補強部材１８６０は結合溝１７２５の側面に沿って折り曲げられて結合溝１７２５の基底面に形成された第１ユーザーホール１７２７を露出させる。
【０１５８】
また、図１６を参照すると、ディスプレーアセンブリー１７００はミドルモールドフレーム１７５０を更に含むことができる。ミドルモールドフレーム１７５０は図１〜図５を参照して説明した支持枠１５０に対応する。
【０１５９】
図１９は、図１６に示した支持枠１７１３、後面収納枠１８５０、及びミドルモールドフレーム１７５０の結合状態を図示する斜視図である。
【０１６０】
図１９を参照すると、ミドルモールド１７５０は上面フレーム１７５１及び側面フレーム１７５３を含む。
【０１６１】
上面フレーム１７５１は四角の額縁形状を有し、表示パネルを支持する。上面フレーム１７５１は支持部１７２１によって支持された光学部材１７１５の縁を押さえる。上面フレーム１７５１は支持枠１７１３の支持部１７２１、後面収納枠１８５０の第３側壁１８５５、及び第４側壁１８５７の上端によって支持できる。上面フレーム１７５１は互いに対向する短辺と互いに対向する長辺を含む。
【０１６２】
側面フレーム１７５３は上面フレーム１７５１の短辺から上面フレーム１７５１とほぼ直交する方向に下側に延長される。側面フレーム１７５３は後面収納枠１８５０の第１側壁１８５１及び第２側壁１８５３をカバーする。上面フレーム１７５１の長辺には、図１６に示したように、側面フレーム１７５３が形成されないこともある。
【０１６３】
上面フレーム１７５１のエッジには支持枠１７１３の結合溝１７２５及び後面収納枠１８５０の第４開口１８５６を露出させる第５開口が形成される。第５開口は側面フレーム１７５３の下端まで延長されて開口させる。
【０１６４】
前面収納枠１８１０はコーナー部に支持枠のコーナー部を露出させるための第２開口部が形成されないことを除いては図１１に示した前面収納枠８１０と実質的に同一である。従って、対応する要素に対しては対応する参照番号を使用し、重複する説明は省略する。
【０１６５】
図２０は、図１６〜図１９に示したディスプレーアセンブリーを有する表示装置の断面図である。
【０１６６】
図２０を参照すると、表示装置１８００はディスプレーアセンブリー１７００、フロントカバー、リヤカバー、及び第１締結部材１８３１を含む。
【０１６７】
表示装置１８００は図１６〜図１９を参照して説明したディスプレーアセンブリー１７００を有することを除いては、図６及び図７を参照して説明した表示装置２００と実質的に同一である。従って、対応する構成要素に対しては対応する参照番号を与え、重複する説明は省略する。
【０１６８】
以上、図面を参照しながら本発明を実施例によって詳細に説明したが、本発明はこれに限定されず、本発明が属する技術分野において通常の知識を有するものであれば本発明の思想と精神を離れることなく、本発明を修正または変更できる。
【符号の説明】
【０１６９】
１００、４００、７００、９００、１１００、１３００、１５００、１７００    ディスプレーアセンブリー
１０１、４０１、１７０１    ディスプレーモジュール
１１０、４１０、１７１０    バックライトパーツ
１１１、４１１、１７１１    ランプユニット
１１２、４１２、１７１２    拡散板
１１３、４１３    サイドフレーム
１１４、４１４、１７１４    第１集光シート
１１５、４１５、１７１５    光学部材
１１６、４１６、１７１６    第２集光シート
１１８、４１８、１７１８    保護シート
１３３、４３３    サイドフレーム
１３０、４３０、１７３０    表示パネルパーツ
１３１、４３１、１７３１    下部基板
１３３、４３３、７３３、９３３、１３３３、１５３３、１７３３    上部基板
１３５、４３５、１７３５    印刷回路基板
１３７、４３７、１７３７    フレキシブル回路フィルム
１５０、４５０、７５０、９５０、１３５０、１５５０、１７１３    支持枠
１５１、４５１、１７５１    支持部
１５３、４５３、１１５３    側部
１５５、４５５、１５５５    結合溝
１５７、４５７、７５７、８５７、９５７、１１５７、１３５７、１５５７    第１ユーザーホール
１５８、４５８    支持枠コーナー部
１５９、４５９、７５９、９５９、１１５９、１３５９、１５５９    第３ユーザーホール
２００、５００、１８００    表示装置
２１０、５１０、８１０、１０１０、１２１０、１４１０、１６１０、１８１０    前面収納枠
２１１、５１１、８１１、１０１１、１２１１、１４１１、１６１１、１８１１    上面部
２１３、５１３、８１３，１０１３、１２１３、１４１３、１６１３、１８１３    側面部
２１５、５１５、８１５、１０１５、１２１５、１４１５、１６１５、１８１５    第１開口部
２３０    締結部材
２３１、５３１、１８３１    第１締結部材
２３３    第２締結部材
２５０、５５０、１８５０    後面収納枠
２５２、５５２、１８５２    底部
２５１、２５３、２５５、２５７、５５１、５５３、５５５、５５７、１８５１、１８５３、１８５５、１８５７    第１〜第４側壁
２５４、５５４、１８５４    第２ユーザーホール
２５６、５５６    
２５８    切開部
２６０、５６０、１０６０、１２６０、１４６０、１６６０、１８６０    第１強度補強部材
２７０    フロントカバー
２７１、１８７１    枠
２７３、５７３、１８７３    フロント側壁
２７５、５７５、１８７５    第１結合部
２９０    リヤカバー
２９１、５９１、１８９１    背面部
２９３、５９３、１８９３    リヤ側壁
２９５、５９５    第２結合部
５１７、８１７、１２１７、１４１７、１６１７    第２強度補強部材
１２６１    傾斜部
１７１３    支持枠
１７２１    支持部
１７２２    外側部
１７２３    側部
１７２４    内側部
１７２５    結合溝
１７２７    第１ユーザーホール
１７５０    ミドルモールド
１７５１    上面フレーム
１７５３    側面フレーム
１８５１、１８５３、１８５５、１８５７    第１〜第４側壁
１８５６    第４開口
１８６１、１８６３、１８６５    第１〜第３面
【図１】
0005542353.tif 000002
【図２】
0005542353.tif 000003
【図３】
0005542353.tif 000004
【図４】
0005542353.tif 000005
【図５】
0005542353.tif 000006
【図６】
0005542353.tif 000007
【図７】
0005542353.tif 000008
【図８】
0005542353.tif 000009
【図９】
0005542353.tif 000010
【図１０】
0005542353.tif 000011
【図１１】
0005542353.tif 000012
【図１２】
0005542353.tif 000013
【図１３】
0005542353.tif 000014
【図１４】
0005542353.tif 000015
【図１５】
0005542353.tif 000016
【図１６】
0005542353.tif 000017
【図１７】
0005542353.tif 000018
【図１８】
0005542353.tif 000019
【図１９】
0005542353.tif 000020
【図２０】
0005542353.tif 000021